(57)【要約】【課題】火災の場合に防火ドアの内部で発生した可燃ガスに起因する延焼を防止できる防火ドアを提供する。さらに、生産性が良く、製造コストを低減することができる防火ドアを提供する。【解決手段】ドア枠１０に開閉可能に取り付けられた防火ドア１００である。防火ドア１００は、端部が折曲された表面材１１０と、端部が折曲され、かつ表面材に対向して配設される裏面材１２０と、芯材１４０と、を備える。防火ドア１００の戸先側および／または戸尻側の上端部および／または下端部において、連結プレート１５０の一端部が表面材１１０の上側折曲片１１２に固定されるとともに連結プレート１５０の他端部が裏面材１２０の上側折曲片１２２に固定され、および／または連結プレート１５０の一端部が表面材１１０の下側折曲片１１４に固定されるとともに連結プレート１５０の他端部が裏面材１２０の下側折曲片１２４に固定されている。【選択図】図１
2020076279.tif 000002
【特許請求の範囲】
【請求項１】
ドア枠に開閉可能に取り付けられた防火ドアであって、
端部が折曲された表面材と、
端部が折曲され、かつ前記表面材に対向して配設される裏面材と、
前記表面材および前記裏面材の間に充填される芯材と、
を含み、
前記防火ドアの戸先側および／または戸尻側の上端部および／または下端部において、
連結プレートの一端部が前記表面材の上側折曲片に固定されるとともに前記連結プレートの他端部が前記裏面材の上側折曲片に固定され、および／または連結プレートの一端部が前記表面材の下側折曲片に固定されるとともに前記連結プレートの他端部が前記裏面材の下側折曲片に固定された、防火ドア。
【請求項２】
前記表面材および前記裏面材の間で、かつ戸先側および戸尻側に配設される補強材をさらに含む、請求項１に記載の防火ドア。
【請求項３】
前記表面材および前記裏面材の両側端部にそれぞれ対向する方向へ折曲された第１の折曲片が形成され、前記第１の折曲片の先端部にそれぞれ内側へ折曲された第２の折曲片が形成され、
前記表面材の第２の折曲片と前記裏面材の第２の折曲片が互いに当接している、請求項１または２に記載の防火ドア。

【発明の詳細な説明】
【技術分野】
【０００１】
本発明は、建造物に火災が発生した場合に延焼を防止する機能を有する防火ドアに関する。
【背景技術】
【０００２】
建造物の内部を仕切る仕切り壁に設けられるドアには、延焼を防止するための防火ドアと称されるものがある。防火ドアは、仕切り壁などの躯体に固定されたドア枠にヒンジなどの連結具によって回動可能に取り付けられる。
【０００３】
従来の防火ドアは、四角枠状に形成された枠体と、枠体の表裏両面にそれぞれ配設される表面材および裏面材と、表面材および裏面材の間に充填される芯材と、を有している。枠体は金属製の一対の縦枠、上枠および下枠を枠組みすることによって構成されている。また、表面材および裏面材は、金属製板材により構成され、芯材の表裏面に接着剤により固定されている。
この防火ドアは、防火ドアの戸尻側端部がドア枠の一方の縦枠にヒンジなどの連結具によって回動可能に連結され、ヒンジの軸心回りでドア枠に開閉できるように構成されている。
【０００４】
このようにして構成された防火ドアは、火災の場合に防火ドアが加熱されると、表面材および裏面材を芯材に固定している接着剤が熱によって溶融し、接着力が不十分となり、また表面材および裏面材の熱による伸長差があるため反りを生じるという問題がある。表面材および裏面材が反ると、ドア枠と防火ドアとの間に隙間を生じ、その隙間から可燃ガスが隣の部屋へ噴出し延焼につながるおそれがある。
そこで、このような問題を解決するため、従来では以下のような様々な技術が提案されている。
【０００５】
例えば、特許文献１（特開２０１３−０９１９１６号公報）には、長期に渡って延焼防止効果の信頼性を維持する防火ドアについて開示されている。
【０００６】
特許文献１に記載の防火ドアは、互いに対向する一対の表面材２１の間に構造材６０を備え、かつこの構造材６０において開口枠１０に対向する見込み面には加熱膨張性を有した延焼防止材５０を配設し、延焼防止材５０が加熱膨張した場合に開口枠１０との間の遮炎性を確保するようにした防火ドア２０において、一対の表面材２１の縁部を互いに近接する方向に屈曲させることによって構造材６０の見込み面に対向する挟持片部２２を構成し、延焼防止材５０の両側縁部を挟持片部２２と構造材６０の見込み面との間に配置したものである。
【０００７】
特許文献２（特開２０１６−２２３１４５号公報）には、作業性及び部品の汎用性を高め、製造コストを低減することができる断熱ドアについて開示されている。
【０００８】
特許文献２に記載の断熱ドアにおいては、断熱ドア１０において、各表面材１４は、その縁部を互いに近接する方向に屈曲させることで骨材１２ａ〜１２ｄの見込み面に対向するように形成された折曲片部１４ａを有し、少なくとも骨組体１２の戸先側となる骨材１２ｄの見込み面には、該見込み面と折曲片部１４ａとの間に断熱部品２４が配置され、断熱部品２４は、骨材１２ｄに設けられた係合孔２６に係合される脚部２４ｂを有して骨材１２ｄに対して取り付けられるものである。
【０００９】
特許文献３（実開昭６２−０７１２８０号公報）には、防火機能を確保しつつ周囲の仕上げを綺麗にするため、スチール製の枠材の両面側にスチール製の表面材を貼着して形成したドア本体の少なくとも側端面に、枠材と表面材とを一体的に固定するスチール製の固定金具を介在させてアルミニウムのような加工性に優れた金属材料からなる端材を固定してなる防火ドアについて開示されている。
【００１０】
また、特許文献４（実公昭６１−４６３５号公報）には、対向する二枚の表面鋼板等の鋼材を用いてなる鋼製の防火パネルであって、該防火パネルの見込面に、防火パネル内のガス抜きをするガス抜き穴を穿設すると共に、該ガス抜き穴は、火災による熱発生に応じて開口するシール材で塞がれていることを特徴とする鋼製防火パネルについて開示されている。
【先行技術文献】
【特許文献】
【００１１】
【特許文献１】特開２０１３−０９１９１６号公報
【特許文献２】特開２０１６−２２３１４５号公報
【特許文献３】実開昭６２−０７１２８０号公報
【特許文献４】実公昭６１−４６３５号公報
【発明の概要】
【発明が解決しようとする課題】
【００１２】
上記のいずれの特許文献に記載のドアでは、火災の場合のドアの反りを防止するために、金属製の四角枠状の枠体を用いてドアの剛性を高めるようにしている。そのため、ドアの生産性が低下し、および製造コストが高くなるという欠点がある。さらに、従来の防火ドアでは表面材を枠体に固定するためにエッジを用いている。しかし、このようにドアの周囲にエッジを固定して剛性をさらに高めたドアでは、意匠性が低いという欠点がある。
【００１３】
本発明の主な目的は、火災の場合に火災の延焼を防止できる防火ドアを提供することにある。
本発明の他の目的は、生産性が良く、製造コストを低減することができる防火ドアを提供することにある。
本発明のさらに他の目的は、意匠性にも優れた防火ドアを提供することにある。
【課題を解決するための手段】
【００１４】
（１）
一局面に従う防火ドアは、ドア枠に開閉可能に取り付けられたドアであって、端部が折曲された表面材と、端部が折曲され、かつ表面材に対向して配設される裏面材と、表面材および裏面材の間に充填される芯材と、を含み、防火ドアの戸先側および／または戸尻側の上端部および／または下端部において、連結プレートの一端部が表面材の上側折曲片に固定され、連結プレートの他端部が裏面材の上側折曲片に固定され、および／または連結プレートの一端部が表面材の下側折曲片に固定され、連結プレートの他端部が裏面材の下側折曲片に固定されものである。
【００１５】
この場合、従来のドアでは火災の場合の変形防止のため、４つの補強材を枠組みして四角枠状の枠体を構成していたので、生産性が低下し、製造コストが高いという欠点がある。
【００１６】
これに対して、本発明では、防火ドアの戸先側および／または戸尻側の上端部において、表面材の上側折曲片と裏面材の上側折曲片とが連結プレートによって固定され、および／または防火ドアの戸先側および／または戸尻側の下端部において、表面材の下側折曲片と裏面材の下側折曲片とが連結プレートによって固定されているので、防火ドアの表面材および裏面材の戸先側端部および／または戸尻側端部が連結プレートによって補強される。
【００１７】
よって、従来のように、ドアを補強するための四角枠状の枠体を用いることなく、連結プレートによって防火ドアを補強できるので、生産性が良く、製造コストを低減することができる。しかも、防火ドアの防火試験についても合格の範囲内である。
【００１８】
（２）
１の局面の発明にかかる防火ドアにおいて、表面材および裏面材の間で、かつ戸先側および戸尻側に配設される補強材をさらに含んでもよい。
この場合、補強材に表面材および裏面材を固定して補強し変形を防止することができる。補強材としては、内側へ開口する断面コ字状に形成された金属部材であってもよく、断面ロ字状に形成された金属部材であってもよい。補強材の断面形状は何ら限定されない。
【００１９】
（３）
１の局面または第２の発明にかかる防火ドアにおいて、表面材および裏面材の戸尻側端部および戸先側端部にそれぞれ対向する方向へ折曲された第１の折曲片が形成され、第１の折曲片の先端部にそれぞれ内側へ折曲された第２の折曲片が形成され、表面材の第２の折曲片と裏面材の第２の折曲片が互いに当接していてもよい。
この場合、表面材および裏面材の両側端部（戸尻側端部および戸先側端部）を補強することができる。従って、エッジを用いることなく防火ドアの両側部を補強することができる。また、エッジを用いることがないので、防火ドアの両側端部の意匠性を高めることができる。
【００２０】
（Ａ）
上記発明のいずれかにかかる防火ドアにおいて、防火ドアの戸先側の上端部において、表面材の上側折曲片と裏面材の上側折曲片との間に亘って連結プレートが配設され、連結プレートの一端部が表面材の上側折曲片に固定され、連結プレートの他端部が裏面材の上側折曲片に固定され、防火ドアの戸先側の下端部において、表面材の下側折曲片と裏面材の下側折曲片との間に亘って連結プレートが配設され、連結プレートの一端部が表面材の下側折曲片に固定され、連結プレートの他端部が前記裏面材の下側折曲片に固定されていてもよい。
【００２１】
この場合、本発明では、防火ドアの戸先側の上端部および／または下端部において、表面材の上側折曲片および／または下側折曲片と裏面材の上側折曲片および／または下側折曲片とが連結プレートによって固定されているので、防火ドアの表面材および裏面材の戸先側端部が連結プレートによって補強される。
【００２２】
よって、従来のように、ドアを補強するための四角枠状の枠体を用いることなく、連結プレートによって防火ドアを補強できるので、生産性が良く、製造コストを低減することができる。しかも、防火ドアの防火試験についても合格の範囲内である。
【００２３】
（Ｂ）
上記発明のいずれかにかかる防火ドアにおいて、防火ドアの戸尻側端部が、ドア枠にピボットヒンジ装置によって回動可能に取り付けられ、防火ドアの戸尻側の上端部において、表面材の上側折曲片と裏面材の上側折曲片との間に亘って連結プレートが配設され、連結プレートの一端部が表面材の上側折曲片に固定され、連結プレートの他端部が裏面材の上側折曲片に固定され、防火ドアの戸尻側の下端部において、表面材の下側折曲片と裏面材の下側折曲片との間に亘って連結プレートが配設され、連結プレートの一端部が表面材の下側折曲片に固定され、連結プレートの他端部が裏面材の下側折曲片に固定されていてもよい。
【００２４】
防火ドアの戸尻側端部が、ドア枠にピボットヒンジ装置によって回動可能に取り付けられる場合は、防火ドアの戸尻側端部の表面板および裏面板がピボットヒンジ装置の連結部によって相互に連結されることはない。
【００２５】
この場合、防火ドアの戸尻側の上端部において、表面材の上側折曲片と裏面材の上側折曲片とが連結プレートによって固定され、防火ドアの戸尻側の下端部において、表面材の下側折曲片と裏面材の下側折曲片とが連結プレートによって固定されているので、防火ドアの表面材および裏面材の戸尻側の端部が連結プレートによって補強される。
よって、ピボットヒンジ装置によって防火ドアをドア枠に回動可能に取り付ける場合でも、従来のように、防火ドアを補強するための四角枠状の枠体を用いることなく、連結プレートによって防火ドアを補強できるので、生産性が良く、製造コストも低減できる。しかも、防火ドアの防火試験についても合格の範囲内である。なお、ピボットヒンジ装置以外に、蝶番など公知の開閉装置を用いることもできる。
【００２６】
（Ｃ）
上記発明のいずれかにかかる防火ドアにおいて、連結プレートがそれぞれ金属製の板材にて形成され、連結プレートがそれぞれ表面材および裏面材の上側折曲片および表面材および裏面材の下側折曲片にビス、リベット、溶接などの固定部材によって固定されてもよい。
【００２７】
この場合、金属製の連結プレートおよび固定部材を用いるだけで、火災の場合の安全性を高めることができ、生産性がよく、また製造コストを低減することができる。
また、連結プレートによって表面材と裏面材とを連結することにより、火災の場合に表面材および裏面材が反ることを防止することができ、火災の場合の安全性を高めることができる。
【００２８】
（Ｄ）
上記発明のいずれかにかかる防火ドアにおいて、防火ドアの戸尻側端部がドア枠にヒンジ装置によって回動可能に取り付けられていてもよい。
この場合、防火ドアの戸尻側端部では、防火ドアをドア枠に回動可能に取り付けるためのヒンジ装置によって、表面板および裏面板が相互に固定される。よって、火災の場合に防火ドアの戸尻側端部で表面板および裏面板が反ることが抑制される。
【００２９】
（Ｅ）
上記発明のいずれかにかかる防火ドアにおいて、防火ドアの戸尻側端部の上側端部と下側端部がそれぞれドア枠に第１のヒンジ装置と第２のヒンジ装置によって回動可能に取り付けられ、防火ドアの戸尻側端部の中央部側端部において、表面材と裏面材とを連結する連結部材が設けられていてもよい。
【００３０】
この場合、連結部材によって表面材と裏面材とを連結し、補強することができる。
（Ｆ）
上記発明のいずれかにかかる防火ドアにおいて、防火ドアの戸尻側端部の中央部に突部が設けられた連結部材が配設され、連結部材は、一端部が表面材の第１折曲片に固定され、他端部が裏面材の第１折曲片に固定され、ドア枠は、突部が嵌合するように凹部が設けられてもよい。
【００３１】
この場合、防火ドアの戸尻側端部の中央部に配設された連結部材の突部がドア枠の凹部に嵌合するので、火災の場合に防火ドアに可燃ガスなどによって圧力が加わったような場合でも、防火ドアはヒンジ装置による連結に加えてドア枠に嵌合しているので防火ドアが反り変形することが防止される。
【図面の簡単な説明】
【００３２】
【図１】本発明の一実施形態に係る防火ドアを室内側から見た正面図である。
【図２】図１に示す防火ドアの横断面図である。
【図３】図１に示す防火ドアの縦断面図である。
【図４】図１に示す防火ドアの全体斜視図である。
【図５】図１に示す防火ドアの要部の斜視図である。
【図６】図１に示す防火ドアの要部の断面図である。
【図７】図１に示す防火ドアの要部の正面図である。
【図８】図１に示す防火ドアの一部切欠した横断面図である。
【図９】図１に示す防火ドアの縦断面図である。
【図１０】連結部材の斜視図である。
【図１１】防火ドアの戸尻側端部に連結部材を固定した要部を示す横断面図である。
【図１２】連結プレートを防火ドアに固定する位置のバリエーションを示す模式図である。
【発明を実施するための形態】
【００３３】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００３４】
図１から図３は、本実施の形態にかかる防火ドア１００が、建造物の内部を仕切る仕切り壁５０のドア枠１０に取り付けられた状態の一例を示す模式的正面図であり、図２は図１の横断面図、図３は図１の縦断面図である。
【００３５】
（ドア枠１０）
ドア枠１０は建造物の内部を仕切る仕切り壁５０の開口部に固定されている。ドア枠１０は、左右一対の縦枠１４および横枠１２を枠組みすることによって構成されている。ドア枠１０を構成する横枠１２および縦枠１４は、アルミニウム、アルミニウム合金等の金属によって成形した押出成形材あるいは鋼材を折り曲げ加工した部材などによって構成することができる。
このドア枠１０の開口部に防火ドア１００が配設され、ドア枠１０の縦枠１４に固定したヒンジ装置１６０などの連結具に防火ドア１００が開閉可能に取り付けられている。
【００３６】
（防火ドア１００）
図２から図６に示すように、防火ドア１００は、所定の間隔をおいて配設される表面材１１０および裏面材１２０と、表面材１１０および裏面材１２０の間に充填される芯材１４０と、表面材１１０および裏面材１２０の間で、かつ戸先側および戸尻側に配設される補強材１３０と、を備えている。表面材１１０と裏面材１２０とは一定の間隔をおいて平行に配設されている。
以下に、防火ドア１００を構成する各部材について詳細に説明する。
【００３７】
（表面材１１０および裏面材１２０）
本実施の形態では、表面材１１０および裏面材１２０は薄い鋼板などの金属板によって構成される矩形状の板材である。表面材１１０および裏面材１２０の材質は耐火性を有する金属板が好ましいが、特に限定されるものではなく、金属板以外の耐火性材料より構成される板材を使用することもできる。
本実施の形態において、薄い鋼板の厚みは０．２ｍｍ以上２．０ｍｍ以下であることが好ましい。
【００３８】
表面材１１０は端部がＬ字状に折曲され、また裏面材１２０は端部がＬ字状に折曲され、かつ表面材１１０に対向して配設される。すなわち、表面材１１０および裏面材１２０の上端には、それぞれ対向する方向に折曲された上側折曲片１１２、１２２が設けられている。上側折曲片１１２、１２２の延設距離およびその断面形状は適宜変更することができる。
本実施形態では、図４および図５に示すように、表面材１１０の上端に設けた上側折曲片１１２と裏面材１２０の上端に設けた上側折曲片１２２との間に開口部１４２が形成されるように、それぞれの上側折曲片１１２、１２２の長さが設定されている。
【００３９】
図４に示すように、表面材１１０および裏面材１２０の下端には、それぞれ対向する方向に折曲された下側折曲片１１４、１２４が設けられている。下側折曲片１１４、１２４の延設距離およびその断面形状は適宜変更することができる。表面材１１０の下端に設けた下側折曲片１１４と裏面材１２０の下端に設けた下側折曲片１２４との間に開口部が形成されるように、それぞれの下側折曲片１１４、１２４の長さが設定されている。
【００４０】
図４から図７に示すように、表面材１１０および裏面材１２０の両側端部（戸先側端部および戸尻側端部）に、それぞれ対向する方向へ折曲された第１の折曲片１１６、１２６が形成されている。さらに、第１の折曲片１１６、１２６の先端部にそれぞれ内側へ折曲された第２の折曲片１１８、１２８が形成されている。
本実施の形態では、表面材１１０および裏面材１２０の両側端部（戸先側端部および戸尻側端部）に、上記第１の折曲片１１６、１２６および第２の折曲片１１８、１２８によって断面コ字状の補強部が形成されているが、表面材１１０および裏面材１２０の両側端部に第１の折曲片１１６、１２６のみを設けて断面Ｌ字状の補強部を形成してもよい。表面材１１０および裏面材１２０の両側端部に設ける補強部の断面形状は目的に応じて適宜変更することができる。
【００４１】
（芯材１４０）
表面材１１０と裏面材１２０との間に芯材１４０が配設されている。芯材１４０としては従来から使用されている種々のものを使用することができる。例えば、ペーパーハニカム、発泡スチロール、ウレタン樹脂、フェノールフォーム等の断熱性樹脂材、水酸化アルミコアなどを使用することができる。芯材１４０は、接着剤によって表面材１１０および裏面材１２０の内面に接着されている。
【００４２】
（補強材１３０）
表面材１１０と裏面材１２０との間において、表面材１１０と裏面材１２０との両側端部に補強材１３０、１３０を配置することができる。そのような場合に、補強材１３０は、アルミニウム、アルミニウム合金、鋼材等の金属によって形成することができる。補強材１３０としては、例えば、内側が開口する断面コ字状の長尺な金属部材で構成することができ、また角パイプなど断面ロ字状の長尺な金属部材で構成することもできる。補強材１３０の断面形状は、目的に応じて適宜変更することができる。特に、アルミニウム、アルミニウム合金で成形した押し出し形材を使用することができる。
補強材１３０は、全長に渡ってほぼ一様な断面形状を有するように構成されている。この実施形態では、補強材１３０は表面材１１０および裏面材１２０の間で、かつ戸先側および戸尻側に配設されており防火ドア１００を補強することができる。
【００４３】
図４から図６に示すように、防火ドア１００の戸先側に配設される補強材１３０は、防火ドア１００の見込方向（厚さ方向）に延設された側片１３２と、側片１３２の両端部から防火ドア１００の見付面に沿って対向する形態で戸尻側に向かって延設された見付片１３４、１３６と、を有する。
【００４４】
また、防火ドア１００の戸尻側に配設される補強材１３０は、防火ドア１００の見込方向（厚さ方向）に延設された側片（図示せず）と、側片の両端部から防火ドア１００の見付面に沿って対向する形態で戸先側に向かって延設された見付片と、を有する。
【００４５】
表面材１１０と裏面材１２０との間において、表面材１１０と裏面材１２０との両側端部に補強材１３０、１３０が配置された場合には、表面材１１０の第２の折曲片１１８の先端と裏面材１２０の第２の折曲片１２８との先端がそれぞれ補強材１３０の側片１３２に当接し、また表面材１１０の第２の折曲片１１８と裏面材１２０の第２の折曲片１２８とが互いに当接するようになっている（図６）。
【００４６】
（連結プレート１５０）
本実施形態で使用される連結プレート１５０は板状の金属製部材にて形成されている。図５および図７に示すように、防火ドア１００の戸先側の補強材１３０の上側において、表面材１１０の上側折曲片１１２と裏面材１２０の上側折曲片１２２との間に亘って連結プレート１５０が配設されている。そして、連結プレート１５０の一端部が表面材１１０の上側折曲片１１２に固定され、連結プレート１５０の他端部が裏面材１２０の上側折曲片１２２に固定されている。連結プレート１５０は表面材１１０および裏面材１２０の上側折曲片１１２、１２２にビスなどの固定部材１５２によって固定されている。なお、本実施形態では固定部材１５２としてビスが使用されているが、ビス以外にリベット、溶接などの固定部材を用いてもよく、固定手段は何ら限定されない。
【００４７】
また、防火ドア１００の戸先側の補強材１３０の下側において、表面材１１０の下側折曲片１１４と裏面材１２０の下側折曲片１２４との間に亘って連結プレート１５０が配設されている。そして、連結プレート１５０の一端部が表面材１１０の下側折曲片１１４に固定され、連結プレート１５０の他端部が裏面材１２０の下側折曲片１２４に固定されている。連結プレート１５０は表面材１１０の下側折曲片１１４および裏面材１２０の下側折曲片１２４にビス、リベット、溶接などの固定部材によって固定されている。
【００４８】
なお、この実施形態では、防火ドア１００の戸尻側端部はヒンジ装置１６０によって表面材１１０および裏面材１２０が連結されている。そのため、防火ドア１００の戸先側の補強材１３０の上側および下側においてのみ、表面材１１０の上側折曲片１１２および下側折曲片１１４と裏面材１２０の上側折曲片１２２および下側折曲片１２４との間に亘って連結プレート１５０を配設し固定するようにしている。
【００４９】
しかしながら、さらに防火ドア１００の戸尻側の補強材１３０の上側および下側において、表面材１１０の上側折曲片１１２および下側折曲片１１４と裏面材１２０の上側折曲片１２２および下側折曲片１２４との間に亘って連結プレート１５０を配設し固定してもよい。
また、連結プレート１５０の一端部および他端部とは、連結プレート１５０の一端部および他端部を含む領域を意味し、連結プレート１５０の先端だけを意味するものではない。従って、連結プレート１５０の一端側および他端側をも含む。
【００５０】
図１２（ａ）〜（ｇ）は、連結プレート１５０を防火ドア１００に固定する位置のバリエーションを示した模式図である。本発明は、１２図（ａ）〜（ｇ）に示すように、連結プレート１５０を防火ドア１００の様々な箇所に取り付けた実施形態を含めるものである。
【００５１】
図１２（ａ）は、防火ドア１００の戸先側の、表面材１１０の上側折曲片１１２および下側折曲片１１４と裏面材１２０の上側折曲片１２２および下側折曲片１２４との間に亘って連結プレート１５０を配設し固定したものである。
【００５２】
図１２（ｂ）は、防火ドア１００の戸先側および戸尻側の、表面材１１０の上側折曲片１１２および下側折曲片１１４と裏面材１２０の上側折曲片１２２および下側折曲片１２４との間に亘って連結プレート１５０を配設し固定したものである。すなわち、防火ドア１００の４つの角部近傍にそれぞれ連結プレート１５０を配設し、表面材１１０および裏面材１２０を連結プレート１５０にて連結するようにしてもよい。
【００５３】
また、図１２（ｃ）に示すように、防火ドア１００の戸尻側のみにおいて、表面材１１０の上側折曲片１１２および下側折曲片１１４と裏面材１２０の上側折曲片１２２および下側折曲片１２４との間に亘って連結プレート１５０を配設し固定してもよい。
【００５４】
さらに、図１２（ｄ）および図１２（ｅ）に示すように、防火ドアの対角線上にある角部近傍に連結プレート１５０を配設して、表面材１１０および裏面材１２０を連結プレート１５０にて連結、固定するようにしてもよい。
また、図１２（ｆ）に示すように、表面材１１０および裏面材１２０の上側折曲片１１２、１２２のみを連結プレート１５０にて連結するようにしてもよく、または図１２（ｇ）に示すように、表面材１１０および裏面材１２０の下側折曲片１１４、１２４のみを連結プレート１５０にて連結するようにしてもよい。
【００５５】
さらに、図１２（ａ）〜（ｇ）以外の補強が必要とされる任意の箇所に１つあるいは複数の連結プレート１５０を配設し、表面材１１０および裏面材１２０を連結プレート１５０にて連結するようにしてもよい。
【００５６】
具体的には、操作ハンドル１７０を有する開き戸において、ヒンジ装置１６０が戸尻側に３ヶ所設置されている場合は（図１）、連結プレート１５０が戸先側の上下両端部の２ヶ所に設置されていることが好ましい。
すなわち、操作ハンドル１７０の部分においては、操作ハンドル１７０により表面材１１０および裏面材１２０が固定されているからである。
【００５７】
また、操作ハンドル１７０を有する開き戸において、ヒンジ装置１６０が戸尻側に２ヶ所設置されている場合は、連結プレート１５０が戸先側の上下両端部の２ヶ所、および戸尻側の上下両端の中央部の１箇所に設置されていることが好ましい。また、上記戸尻側の上下両端の中央部に設ける連結プレート１５０は、さらに突部２１０が設けられた連結部材に置き換えられても良い。この場合、図１１に示すように、ドア枠１０には、突部２１０が嵌合するように凹部２２が設けられている。詳細は後述する。
【００５８】
また、上記防火ドア１００に操作ハンドル１７０が設けられていない場合は、さらに戸先側の上下両端の中央部にも連結プレート１５０を設けることが好ましい。
さらに、防火ドア１００が引き戸である場合は、操作ハンドル１７０を有しないため、連結プレートは、戸先側の上下両端部と中央部の３ヶ所、および戸尻側の上下両端部と中央部の３ヶ所に設けることが好ましい。
【００５９】
なお、連結プレート１５０の形状、サイズは適宜変更することができる。例えば、長方形状の金属部材あるいは正方形の金属部材などで形成してもよい。
【００６０】
（ヒンジ装置１６０）
図１および図２に示すように、防火ドア１００の戸尻側端部がドア枠１０にヒンジ装置１６０によって回動可能に取り付けられている。つまり、防火ドア１００の戸尻側に位置する補強枠１３０は、ドア枠１０の縦枠１４にヒンジ装置１６０によって回動可能に連結されている。
【００６１】
本実施形態では、防火ドア１００は上下３箇所のヒンジ装置１６０によってドア枠１０に連結されているが、上下２箇所のヒンジ装置１６０で連結してもよく、４箇所以上のヒンジ装置１６０で連結してもよい。
【００６２】
この実施形態で使用するヒンジ装置１６０はいわゆる旗蝶番と称されるものである。ヒンジ装置１６０は、ヒンジ軸の両端部にそれぞれ羽根板を備えて構成されている。羽根板は、金属によって成形された矩形の平板を有し、ヒンジ軸の軸心を中心として相対的に回転可能に構成されている。
【００６３】
ヒンジ軸の軸心が補強材１３０の長手方向に沿った状態で一方の羽根板が補強枠１３０の見込み面に取り付けられ、他方の羽根板がドア枠１０の縦枠１４の見込み面に取り付けられている。
【００６４】
また、羽根板の固定部材は、表面材１１０および裏面材１２０の両者に固定されている。
ヒンジ装置１６０によってドア枠１０の縦枠１４に支持された防火ドア１００は、ヒンジ軸周りに防火ドア１００を回動させることができる。
【００６５】
（操作ハンドル１７０および錠装置１８０）
防火ドア１００の戸先側のほぼ中央端部に操作ハンドル１７０および錠装置１８０が設けられ、戸先側の補強材１３０に固定されている。
【００６６】
このようにして、防火ドア１００は表面材１１０および裏面材１２０を備え、防火ドア内部には表面材１１０および裏面材１２０間に挟まれる形態で芯材１４０が設けられており、さらに表面材１１０および裏面材１２０間には芯材１４０の両側部を補強するように金属製の補強材１３０が設けられている。
【００６７】
本発明に係る防火ドア１００では、防火ドア１００の戸先側の補強材１３０の上側および下側において、表面材１１０の上側折曲片１１２および下側折曲片１１４と裏面材１２０の上側折曲片１２２および下側折曲片１２４が連結プレート１５０によって連結されている。このような構成とすることにより、防火ドア１００の両側の補強材１３０，１３０を上側折曲片１１２、１２２および下側折曲片１１４、１２４によって連結し、補強することができる。従って、火災が発生した場合に、火災の熱により、例えば、防火ドア１００の表面材１１０側が加熱された場合でも、それによって防火ドアが反って変形することを防止できる。
【００６８】
すなわち、表面材１１０および裏面材１２０と補強材１３０、１３０との間の連結構造が、連結プレート１５０を介して表面材１１０の上側折曲片１１２および下側折曲片１１４と裏面材１２０の上側折曲片１２２および下側折曲片１２４によって維持されているため、防火ドア１００が火災等の熱を受けた際にも熱による表面材１１０および裏面材１２０の反り、変形を防止することができる。よって、防火ドアの上端および下端に従来のような断面コ字形の枠材が固定されていないにもかかわらず、防火性能を向上させることができる。
【００６９】
また、防火ドア１００の戸先側端部および戸尻側端部においては、表面材１１０の第１の折曲片１１６と裏面材１２０の第１の折曲片１２６が突き合わされた状態になり補強されている。従って、防火ドア１００の戸先側端部の見込み面にエッジ（またはカバー部材）を固定して補強する必要がないため、防火ドアの意匠性を高めることができる。
【００７０】
なお、上記実施形態では、防火ドア１００の戸尻側端部がドア枠１０にヒンジ装置１６０によって回動可能に取り付けられる場合を示したが、防火ドア１００の戸尻側端部がドア枠にピボットヒンジによって回動可能に取り付けられる場合は、図１２（ｂ）に示すように、防火ドア１００の戸尻側の補強材１３０の上側および下側において、表面材１１０の上側折曲片１１２および下側折曲片１１４と裏面材１２０の上側折曲片１２２および下側折曲片１２４との間に亘って連結プレート１５０を配設し固定してもよい。
【００７１】
すなわち、防火ドア１００の４つの角部近傍にそれぞれ連結プレート１５０を配設し、表面材１１０および裏面材１２０を連結プレート１５０にて連結するようにしてもよい。さらに、４つの角部以外に、さらに防火ドア１００の上端部および下端部の中央部などに連結プレート１５０を配設して表面材１１０と裏面材１２０とを連結するようにしてもよい。
【００７２】
この場合も、防火ドア１００の表面材１１０および裏面材１２０の戸先側の角部が連結プレート１５０によって補強されるので、従来のように防火ドア１００を補強するための四角枠状の枠体を用いることなく、連結プレート１５０によって防火ドア１００を補強することができる。
なお、ピボットヒンジだけではなく、それに替えて蝶番など公知の開閉装置を用いてもよい。
【００７３】
さらに、火災の場合には、防火ドア１００の表面材１１０または裏面材１２０のうち一方の表面温度が他方の表面温度に比べて高温になるために熱伸長する。その結果、従来のドアでは反りを生じ、ドアが大きく変形してドア枠との間に隙間を生じるという問題があるが、本実施形態の防火ドア１００では、表面材１１０と裏面材１２０との間に渡って連結プレート１５０が連結され補強されているので、表面材１１０または裏面材１２０が熱伸長した場合には連結プレート１５０が曲がることで防火ドア１００が大きく変形することを抑えることができる。
【００７４】
すなわち、表面材１１０または裏面材１２０のうち一方が伸長した場合であっても、平板形状からなる連結プレート１５０が変形し、表面材１１０または裏面材１２０の間の距離を保持することができる。一方、連結プレート１５０を平板形状ではなく、コ字状の枠材等で形成した場合、連結プレート１５０の変形が生じず、表面材１１０または裏面材１２０のいずれかから連結プレート１５０を固定しているビスなどの固定部材１５２が外れるという問題が生じてしまう。本実施の形態においては、当該問題を抑止することができる。
また、上記の実施形態では、表面材１１０および裏面材１２０の間で、かつ戸先側および戸尻側に補強材１３０を配設したが、補強材は配設しなくてもよく、または戸先側および戸尻側の一方にのみ補強材を配設してもよい。
【００７５】
（他の実施形態）
上記実施形態では、防火ドア１００がドア枠１０に上下３箇所のヒンジ装置１６０によって連結されている。
防火ドア１００がドア枠に上下２箇所のヒンジ装置１６０によって連結される場合には、上下のヒンジ装置１６０の間において、防火ドア１００の表面材１１０および裏面材１２０を連結プレート１５０によって連結するように構成してもよい。すなわち、ヒンジ装置を３つ設ける場合に防火ドア１００の戸尻側中央に設けられていたヒンジ装置１６０の代わりに連結プレート１５０を設けても良い。
この場合、金属板状の連結プレート１５０を表面材１１０の第１折曲片１１６と裏面材１２０の第１折曲片１２６の外側に配置し、表面材１１０の第１折曲片１１６と裏面材１２０の第１折曲片１２６にビスなどの固定部材１５２などで固定してもよい。
【００７６】
（さらに他の実施形態）
図１０および図１１に示すように、防火ドア１００の戸尻側端面に嵌合部２１０（突部または凹部）が形成された連結部材２００を固定し、この連結部材２００に対応する位置においてドア枠１０の縦枠１４に、連結部材２００の嵌合部２１０（突部または凹部）に嵌合し得る被嵌合部（凹部または突部）を有する連結具２０を固定してもよい。この場合、連結部材２００は表面材１１０および裏面材１２０の第１の折曲片１１６、１２６にビスなどで固定される。
防火ドア１００を開いたり閉じたりする場合には、防火ドア１００に固定した連結部材２００の嵌合部２１０にドア枠１０に固定した連結具２０の被嵌合部２２が当接しないように形成されている。また、防火ドア１００が熱変形等で熱伸長し、反り返って移動する場合には、防火ドア１００に固定した連結部材２００の嵌合部２１０は、ドア枠１０に固定した連結具２０の被嵌合部２２に当接するように構成される。なお、図中２２０はビス孔である。
【００７７】
従って、連結部材２００によって防火ドア１００の表面材１１０および裏面材１２０が連結され強度が向上するため、火災の場合に防火ドア１００に反りなどの変形が生じても、防火ドア１００とドア枠１０との間に隙間が生じることを抑えることができる。
【００７８】
（さらに他の実施形態）
従来のドアにおいて、電気錠が設けられる場合がある。電気錠を設ける場合、ドアの戸尻側上部に、電気錠のための配線を接続するための中継装置が設けられる。当該中継装置は表面材１１０と裏面材１２０との間に配置され、接着剤によって表面材１１０および裏面材１２０に接着される。
しかしながら、火災の場合に中継装置の周囲の接着剤が融解し、中継装置の周囲の表面材１１０および裏面材１２０が離間してしまうという問題が生じていた。
【００７９】
本実施形態では、連結プレート１５０によって中継装置の上端部および下端部において、表面材１１０および裏面材１２０を固定するように構成されている。このような構成とすることにより、火災の場合に中継装置を表面材１１０および裏面材１２０に接着させるための接着剤が融解したような場合でも、中継装置を防火ドア１００の内部に確実に固定することができる。
なお、連結プレート１５０を表面材１１０および裏面材１２０を介して中継装置にねじ止めさせるようにしてもよい。
（さらに他の実施形態）
【００８０】
本発明においては、ドア枠１０が「ドア枠」に相当し、防火ドア１００が「防火ドア」に相当し、表面材１１０が「表面材」に相当し、裏面材１２０が「裏面材」に相当し、補強材１３０が「補強材」に相当し、芯材１４０が「芯材」に相当し、連結プレート１５０が「連結プレート」に相当する。
【００８１】
本発明の好ましい一実施の形態は上記の通りであるが、本発明は上記で示した実施の形態のみに制限されない。本発明の精神と範囲から逸脱することのない様々な実施形態が他になされることは理解されよう。さらに、本実施形態において、本発明の構成による作用および効果を述べているが、これら作用および効果は一例であり、本発明を限定するものではない。
【符号の説明】
【００８２】
１０  ドア枠
１２  横枠
１４  縦枠
５０  仕切り壁
１００  防火ドア
１１０  表面材
１２０  裏面材
１３０  補強材
１４０  芯材
１５０  連結プレート
１６０  ヒンジ装置
【図１】
2020076279.tif 000003
【図２】
2020076279.tif 000004
【図３】
2020076279.tif 000005
【図４】
2020076279.tif 000006
【図５】
2020076279.tif 000007
【図６】
2020076279.tif 000008
【図７】
2020076279.tif 000009
【図８】
2020076279.tif 000010
【図９】
2020076279.tif 000011
【図１０】
2020076279.tif 000012
【図１１】
2020076279.tif 000013
【図１２】
2020076279.tif 000014